(57)【要約】【課題】  簡単な構造で容易に製作でき、かつ耐摩耗性および装着性に優れたバンドおよびそれを備えた時計を提供する。【解決手段】  柔軟性を有する合成樹脂から形成され耐摩耗性を備えた第１樹脂層１０と、この第１樹脂層１０よりも硬度が低く第１樹脂層１０と同一系統の合成樹脂で、第１樹脂層１０の裏面に一体に形成された第２樹脂層１１と、を備えている。従って、構造が簡単で第１樹脂層１０と第２樹脂層１１とをインサート成型によって容易に製作でき、かつ表面側の第１樹脂層１０が耐摩耗性を備えているので、服や机などに擦れても、摩耗することがなく、耐久性を確保できる。また、裏面側の第２樹脂層１１は、第１樹脂層１０よりも硬度が低く、引張強度が高いので、腕に装着した際に、腕にフィットさせることができるので、装着性が良い。【選択図】        図２
2019154901.tif 000002
【特許請求の範囲】
【請求項１】
柔軟性を有する合成樹脂から形成された第１樹脂層と、
前記第１樹脂層よりも硬度が低く、前記第１樹脂層と同一系統の合成樹脂で、前記第１樹脂層の裏面に一体に形成された第２樹脂層と、
を備え、
前記第１樹脂層は、前記第２樹脂層よりも耐摩耗性が高いことを特徴とするバンド。
【請求項２】
請求項１に記載のバンドにおいて、前記第１樹脂層と前記第２樹脂層との剥離を防ぐ剥離防止部を備えていることを特徴とするバンド。
【請求項３】
請求項２に記載のバンドにおいて、前記剥離防止部は、前記第１樹脂層の外周に設けられて前記第２樹脂層の外周を覆う外周壁を備えていることを特徴とするバンド。
【請求項４】
請求項２または請求項３に記載のバンドにおいて、前記第１樹脂層と前記第２樹脂層とは、長手方向に沿って設けられた複数のバンド孔を備え、前記剥離防止部は、前記複数のバンド孔にそれぞれ対応して前記第１樹脂層に設けられて、前記複数のバンド孔に対応する前記第２樹脂層の各内周をそれぞれ覆う複数の円筒壁を備えていることを特徴とするバンド。
【請求項５】
請求項２〜請求項４のいずれかに記載のバンドにおいて、前記剥離防止部は、前記第１樹脂層と前記第２樹脂層との一方に設けられて、前記第１樹脂層と前記第２樹脂層との他方に埋め込まれた抜止め部を備えていることを特徴とするバンド。
【請求項６】
請求項１〜請求項５のいずれかに記載のバンドにおいて、前記第１樹脂層の外面と前記第２樹脂層の外面とには、コーティング層が設けられていることを特徴とするバンド。
【請求項７】
請求項１〜請求項６のいずれかに記載されたバンドを備えていることを特徴とする時計。
【発明の詳細な説明】
【技術分野】
【０００１】
この発明は、腕時計、鞄、バッグなどに用いられるバンドおよびそれを備えた時計に関する。
【背景技術】
【０００２】
例えば、腕時計のバンドにおいては、特許文献１に記載されているように、合成樹脂製のバンドコア上にカーボン繊維の織物を積層してバンド素材を形成し、このバンド素材を繰り返し積層し、この積層された複数のバンド素材をコート層で覆った構造のものが知られている。
【先行技術文献】
【特許文献】
【０００３】
【特許文献１】特開平０７−１３６００８号公報
【発明の概要】
【発明が解決しようとする課題】
【０００４】
しかしながら、このような腕時計のバンドにおいては、カーボン繊維の織物をインサート成型によってバンドコアと一体に形成する際に、カーボン繊維の織物にバンドコアと同じ樹脂または相溶性の樹脂を含浸させなければ、バンドコアとカーボン繊維の織物との密着強度を確保して、バンドコアとカーボン繊維の織物とを一体に成形することができない。
【０００５】
また、この腕時計のバンドでは、バンドコアにカーボン繊維の織物が積層されたバンド素材を繰り返し積層させる構造であるから、構造が複雑であるばかりか、バンド素材を繰り返し積層させる際に、プレス加工によって高い圧力で圧縮させて積層させなければならないため、製造が煩雑で面倒であるという問題もある。
【０００６】
この発明が解決しようとする課題は、簡単な構造で容易に製作でき、かつ耐摩耗性および装着性に優れたバンドおよびそれを備えた時計を提供することである。
【課題を解決するための手段】
【０００７】
この発明は、柔軟性を有する合成樹脂で形成された第１樹脂層と、前記第１樹脂層よりも硬度が低く、前記第１樹脂層と同一系統の合成樹脂で、前記第１樹脂層の裏面に一体に形成された第２樹脂層と、を備え、前記第１樹脂層は、前記第２樹脂層よりも耐摩耗性が高いことを特徴とするバンドである。
【発明の効果】
【０００８】
この発明によれば、簡単な構造で容易に製作することができ、かつ耐摩耗性および装着性に優れたものを提供することができる。
【図面の簡単な説明】
【０００９】
【図１】この発明を腕時計に適用した一実施形態を示した分解斜視図である。
【図２】図１に示されたバンドのＡ−Ａ矢視における拡大断面図である。
【図３】図１に示されたバンドのＢ−Ｂ矢視における要部を示した拡大断面図である。
【図４】図１に示されたバンドのＣ−Ｃ矢視における拡大断面図である。
【図５】この発明を適用した腕時計のバンドの第１変形例を示し、（ａ）はバンドの要部を示した拡大平面図、（ｂ）は（ａ）のＤ−Ｄ矢視における拡大断面図である。
【図６】この発明を適用した腕時計のバンドの第２変形例における断面を示し、（ａ）は図１に示されたバンドのＣ−Ｃ矢視と同じ位置の断面を示した拡大断面図、（ｂ）は図１に示されたバンドのＡ−Ａ矢視と同じ位置の断面を示した拡大断面図である。
【発明を実施するための形態】
【００１０】
以下、図１〜図４を参照して、この発明を腕時計に適用した一実施形態について説明する。
この腕時計は、図１に示すように、腕時計ケース１を備えている。この腕時計ケース１の１２時側と６時側とには、一対のバンド２が取り付けられるバンド取付部３がそれぞれ設けられている。また、この腕時計ケース１の３時側には、スイッチ部４が設けられている。
【００１１】
一対のバンド２それぞれは、図１に示すように、合成樹脂によって帯状に形成され、一端部が腕時計ケース１の１２時側と６時側との各バンド取付部３にそれぞれ第１ピン部材５によって取り付けられるように構成されている。この場合、腕時計ケース１の６時側に取り付けられる一方のバンド２には、複数のバンド孔６が長手方向に沿って等間隔で設けられている。
【００１２】
また、腕時計ケース１の１２時側に取り付けられる他方のバンド２の他端部には、図１に示すように、一対のバンド２同士を連結するための尾錠７が第２ピン部材８によって取り付けられている。また、この他方のバンド２の他端部には、尾錠７で連結された一方のバンド２の他端部を他方のバンド２に重ね合わせるように挿入させて固定するための遊環９が設けられている。
【００１３】
この場合、尾錠７は、図１に示すように、他方のバンド２の他端部の両側に配置されて、一方のバンド２の他端部側が挿入するコ字形状の本体部７ａと、一方のバンド２のバンド孔６に挿入するつく棒７ｂと、を備えている。すなわち、この尾錠７は、本体部７ａの両端部と、この両端部の間に配置されたつく棒７ｂとが、第２ピン部材８によって他方のバンド２の他端部に取り付けられるように構成されている。
【００１４】
これにより、一対のバンド２は、図１に示すように、各一端部が腕時計ケース１の各バンド取付部３に取り付けられた状態で、一方のバンド２の他端部側が他方のバンド２の尾錠７の本体部７ａに挿入されて、尾錠７のつく棒７ｂが一方のバンド２のバンド孔６に挿入され、この挿入されたつく棒７ｂが尾錠７の本体部７ａに係止されることにより、一対のバンド２同士が連結されるように構成されている。
【００１５】
ところで、一対のバンド２それぞれは、図２〜図４に示すように、柔軟性を有する合成樹脂製の第１樹脂層１０と、この第１樹脂層１０と同一系統の合成樹脂で、第１樹脂層１０の裏面である下面に一体に形成された第２樹脂層１１と、を備えている。第１樹脂層１０は、シリコーン樹脂、フッ素樹脂、ウレタン樹脂などの柔軟性を有する合成樹脂で、好ましくはシリコーン樹脂によって形成されている。
【００１６】
この第１樹脂層１０のシリコーン樹脂は、図２〜図４に示すように、第２樹脂層１１よりも硬度が高く、かつ耐摩耗性を備えている。第２樹脂層１１は、第１樹脂層１０と同じ合成樹脂、例えばシリコーン樹脂、フッ素樹脂、ウレタン樹脂などの柔軟性を有する合成樹脂で、好ましくは第１樹脂層１０と同じシリコーン樹脂によって形成されている。
【００１７】
この場合、第２樹脂層１１は、図２〜図４に示すように、第１樹脂層１０よりも硬度が低く、かつ第１樹脂層１０よりも引張強度が高いシリコーン樹脂、つまり第１樹脂層１０よりも軟らかい柔軟性を有するシリコーン樹脂で形成されている。この第２樹脂層１１は、第１樹脂層１０よりも厚みが厚く形成されている。
【００１８】
これにより、第１樹脂層１０と第２樹脂層１１とは、図２〜図４に示すように、第１樹脂層１０をインサート成型によって第２樹脂層１１と一体に成形する際に、第１樹脂層１０と第２樹脂層１１とが特性の異なる同じシリコーン樹脂であることにより、第１樹脂層１０と第２樹脂層１１との境界面が融合して高い密着力で接合されるように構成されている。
【００１９】
この場合、第２樹脂層１１は、第１樹脂層１０よりも厚みが厚く形成されていることにより、バンド２全体が軟らかく、かつ引張強度が強くなるように構成されている。また、第１樹脂層１０と第２樹脂層１１とは、同じ色のシリコーン樹脂で形成されていても良く、また異なる色のシリコーン樹脂で形成されていても良い。
【００２０】
ところで、これら一対のバンド２それぞれは、図２〜図４に示すように、第１樹脂層１０と第２樹脂層１１との剥離を防ぐ剥離防止部１２を備えている。この場合、一対のバンド２のうち、腕時計ケース１の６時側のバンド取付部３に取り付けられる一方のバンド２と、腕時計ケース１の１２時側のバンド取付部３に取り付けられる他方のバンド２とで、剥離防止部１２の構造が少し異なっている。
【００２１】
すなわち、腕時計ケース１の６時側に取り付けられる一方のバンド２の剥離防止部１２は、図２および図３に示すように、第１樹脂層１０の外周に設けられて第２樹脂層１１の外周面を覆う外周壁１２ａと、一方のバンド２に設けられた複数のバンド孔６にそれぞれ対応して第１樹脂層１０に設けられて、複数のバンド孔６に対応する第２樹脂層１１の各内周面をそれぞれ覆う複数の円筒壁１２ｂと、を備えている。
【００２２】
外周壁１２ａは、図２および図３に示すように、第１樹脂層１０とほぼ同じ肉厚で、バンド２の全長に亘る第１樹脂層１０の全周囲における外周端から、バンド２の全長に亘る第２樹脂層１１の全周囲における下面に亘って設けられている。これにより、外周壁１２ａは、第２樹脂層１１の全周囲における外周面を覆うことにより、第１樹脂層１０と第２樹脂層１１との外周面における剥離を防止するように形成されている。
【００２３】
複数の円筒壁１２ｂそれぞれは、図２および図３に示すように、第１樹脂層１０とほぼ同じ肉厚で、一方のバンド２に設けられた複数のバンド孔６に対応する第１樹脂層１０の下面から複数のバンド孔６に対応する第２樹脂層１１の各内周における下面に亘って設けられている。これにより、複数の円筒壁１２ｂそれぞれは、複数のバンド孔６に対応する第２樹脂層１１の各内周面を覆うことにより、複数のバンド孔６に対応する第１樹脂層１０と第２樹脂層１１との各内周面における剥離を防止するように形成されている。
【００２４】
この場合、複数の円筒壁１２ｂは、図１〜図３に示すように、複数のバンド孔６がバンド２の長手方向における全長に亘って等間隔で設けられていることにより、これら複数のバンド孔６に対応してバンド２のほぼ全長に亘って等間隔で設けられている。このため、これら複数の円筒壁１２ｂは、バンド２のほぼ全長に亘る複数のバンド孔６に対応する第１樹脂層１０と第２樹脂層１１との各内周面における剥離を防止するように形成されている。
【００２５】
一方、腕時計ケース１の１２時側に取り付けられる他方のバンド２の剥離防止部１２は、図４に示すように、第１樹脂層１０の外周に設けられて第２樹脂層１１の外周を覆う外周壁１２ａのみを備えた構造になっている。この外周壁１２ａは、上述した腕時計ケース１の６時側に取り付けられる一方のバンド２の外周壁１２ａと同じ構造になっている。
【００２６】
次に、このような腕時計における一対のバンド２の作用について説明する。
これら一対のバンド２のうち、腕時計ケース１の６時側に取り付けられる一方のバンド２を製作する場合には、第１樹脂層１０をインサート成型によって第２樹脂層１１と一体に成形する。この場合には、予め、剥離防止部１２を備えた第１樹脂層１０を第２樹脂層１１よりも硬度が高く、かつ耐摩耗性を備えたシリコーン樹脂で形成する。
【００２７】
すなわち、腕時計ケース１の６時側に取り付けられる一方のバンド２の第１樹脂層１０に剥離防止部１２を形成する。この場合には、第１樹脂層１０の外周に設けられて第２樹脂層１１の外周面を覆うための外周壁１２ａと、複数のバンド孔６にそれぞれ対応して第１樹脂層１０に設けられて、複数のバンド孔６に対応する第２樹脂層１１の各内周面をそれぞれ覆うための複数の円筒壁１２ｂと、を形成する。
【００２８】
このように形成された第１樹脂層１０をインサート成型によって第２樹脂層１１と一体に成形する際には、第２樹脂層１１が第１樹脂層１０と特性の異なる同じシリコーン樹脂であることにより、第１樹脂層１０と第２樹脂層１１との境界面が融合して高い密着力で確実にかつ良好に接合される。
【００２９】
この場合には、第２樹脂層１１の全周囲における外周面が剥離防止部１２の外周壁１２ａによって覆われているにより、第１樹脂層１０と第２樹脂層１１との外周面における剥離が阻止される。また、この場合には、複数のバンド孔６に対応する第２樹脂層１１の各内周面が剥離防止部１２の複数の円筒壁１２ｂによってそれぞれ覆われているにより、複数のバンド孔６に対応する第１樹脂層１０と第２樹脂層１１との各内周面における剥離が阻止される。
【００３０】
この場合、複数の円筒壁１２ｂは、バンド２の長手方向における全長に亘って等間隔で設けられた複数のバンド孔６にそれぞれ対応してバンド２のほぼ全長に亘って等間隔で設けられていることにより、バンド２のほぼ全長に亘って複数のバンド孔６に対応する第１樹脂層１０と第２樹脂層１１との各内周面における剥離が防止される。
【００３１】
一方、腕時計ケース１の１２時側に取り付けられる他方のバンド２を製作する場合には、腕時計ケース１の６時側に取り付けられる一方のバンド２と同様、第１樹脂層１０をインサート成型によって第２樹脂層１１と一体に成形する。この場合にも、予め、剥離防止部１２を備えた第１樹脂層１０を第２樹脂層１１よりも硬度が高く、かつ耐摩耗性を備えたシリコーン樹脂で形成する。
【００３２】
すなわち、腕時計ケース１の１２時側に取り付けられる他方のバンド２の第１樹脂層１０に剥離防止部１２を形成する場合には、他方のバンド２の第１樹脂層１０の外周に設けられて第２樹脂層１１の外周を覆うための外周壁１２ａのみを形成する。この第１樹脂層１０を腕時計ケース１の６時側に取り付けられる一方のバンド２と同様、インサート成型によって第２樹脂層１１と一体に成形する。
【００３３】
このときにも、腕時計ケース１の６時側に取り付けられる一方のバンド２と同様、第２樹脂層１１が第１樹脂層１０と特性の異なる同じシリコーン樹脂であることにより、第１樹脂層１０と第２樹脂層１１との境界面が融合して高い密着力で確実にかつ良好に接合される。この状態では、バンド２の全長に亘る第２樹脂層１１の全周囲における外周面が剥離防止部１２の外周壁１２ａによって覆われていることにより、第１樹脂層１０と第２樹脂層１１との外周面における剥離が阻止される。
【００３４】
また、腕時計ケース１の１２時側と６時側とに取り付けられる一対のバンド２における第１樹脂層１０と第２樹脂層１１とが同じ色のシリコーン樹脂で形成されている場合には、単一色のバンド２が得られる。また、一対のバンド２における第１樹脂層１０と第２樹脂層１１とが異なる色のシリコーン樹脂で形成されている場合には、バンド２のカラー化が図れるので、色彩に優れ、デザイン性が高められる。
【００３５】
このようにして製作された一対のバンド２を腕時計ケース１に取り付けて使用する場合には、一対のバンド２のうち、一方のバンド２を腕時計ケース１の６時側のバンド取付部３に第１ピン部材５によって取り付けると共に、他方のバンド２を腕時計ケース１の１２時側のバンド取付部３に第１ピン部材５によって取り付ける。
【００３６】
この場合には、予め、腕時計ケース１の１２時側に取り付けられる他方のバンド２の他端部に尾錠７を第２ピン部材８によって取り付ける。このときには、尾錠７の本体部７ａの両端部と、この両端部の間に配置されたつく棒７ｂとを、第２ピン部材８によって他方のバンド２の他端部に取り付ける。
【００３７】
そして、これら一対のバンド２によって腕時計ケース１を腕に取り付ける場合には、一方のバンド２の他端部を他方のバンド２の尾錠７の本体部７ａに挿入させて、尾錠７のつく棒７ｂを一方のバンド２のバンド孔６に挿入させ、この挿入されたつく棒７ｂを尾錠７の本体部７ａに係止させる。これにより、一対のバンド２同士が連結されて、腕時計ケース１が腕に取り付けられる。
【００３８】
この状態で腕時計を携帯して使用する際には、バンド２が服や机などに擦れても、バンド２の表面側の第１樹脂層１０が第２樹脂層１１よりも硬度の高い耐摩耗性を備えたシリコーン樹脂で形成されていることにより、バンド２の表面側の第１樹脂層１０が摩耗することがないため、耐久性が向上する。
【００３９】
また、このバンド２は、腕に取り付けられた際に、裏面側の第２樹脂層１１が腕に接触するが、この第２樹脂層１１が第１樹脂層１０よりも硬度が低く、引張強度の高いシリコーン樹脂、つまり第１樹脂層１０よりも柔らかい柔軟性を有するシリコーン樹脂で形成されているため、第２樹脂層１１が腕にフィットして良好に装着されるので、装着性が良い。この場合、第２樹脂層１１は、第１樹脂層１０よりも厚みが厚いので、バンド２全体が軟らかくなり、引張強度が高められることにより、使い勝手が良くなる。
【００４０】
また、このバンド２は、剥離防止部１２を備えているので、この剥離防止部１２によって第１樹脂層１０と第２樹脂層１１とが剥離することがないので、バンド２を腕に装着して良好に使用することができる。すなわち、この剥離防止部１２は、第１樹脂層１０の外周に設けられて第２樹脂層１１の外周面を覆う外周壁１２ａを備えていることにより、第１樹脂層１０と第２樹脂層１１との外周面における剥離が確実に防止される。
【００４１】
この場合、腕時計ケース１の６時側に取り付けられる一方のバンド２の剥離防止部１２は、外周部の外周壁１２ａのほかに、複数のバンド孔６にそれぞれ対応して第１樹脂層１０に設けられて複数のバンド孔６に対応する第２樹脂層１１の各内周面をそれぞれ覆う複数の円筒壁１２ｂを備えているので、バンド孔６に対応する円筒壁１２ｂに尾錠７のつく棒７ｂが挿入されても、これら複数の円筒壁１２ｂによってバンド孔６に対応する第１樹脂層１０と第２樹脂層１１との各内周面における摩耗および剥離が確実に防止される。
【００４２】
このように、この腕時計のバンド２によれば、柔軟性を有する合成樹脂で、硬度が高く、かつ耐摩耗性を備えた第１樹脂層１０と、この第１樹脂層１０よりも硬度が低く、かつ第１樹脂層１０よりも引張強度が高い第１樹脂層１０と同一系統の合成樹脂で、第１樹脂層１０の下面である裏面に一体に形成された第２樹脂層１１と、を備えていることにより、簡単な構造で容易に製作することができると共に、耐摩耗性および装着性に優れたものを提供することができる。
【００４３】
すなわち、このバンド２では、柔軟性を有する合成樹脂の第１樹脂層１０と、この第１樹脂層１０と同一系統の合成樹脂の第２樹脂層とを、インサート成型（２色成型）によって一体に成形する構造であるから、構造が簡単で容易に製作することができる。この場合、第１樹脂層１０と第２樹脂層１１とは、特性の異なる同じシリコーン樹脂であることにより、第１樹脂層１０と第２樹脂層１１との境界面を融合させて高い密着力で確実にかつ良好に接合させることができる。
【００４４】
また、このバンド２では、表面側の第１樹脂層１０が柔軟性を有する合成樹脂で、第２樹脂層１１よりも硬度が高く、かつ耐摩耗性を備えていることにより、第１樹脂層１０が服や机などに擦れても、第１樹脂層１０が摩耗することがないため、バンド２の耐久性を向上させることができる。
【００４５】
また、このバンド２では、裏面側の第２樹脂層１１が第１樹脂層１０よりも硬度が低く、引張強度の高いシリコーン樹脂、つまり第１樹脂層１０よりも軟らかい柔軟性を有するシリコーン樹脂で形成されていることにより、腕に装着した際に、第２樹脂層１１を腕にフィットさせて装着させることができるので、装着性が良い。
【００４６】
この場合、第２樹脂層１１は、第１樹脂層１０よりも厚みが厚いので、バンド２全体を軟らかくすることができると共に、バンド２全体の引張強度を高めることができ、これにより、より一層、腕にフィットさせることができるので、使い勝手の良いものを提供することができる。
【００４７】
この場合、このバンド２では、第１樹脂層１０と第２樹脂層１１とが同じ色のシリコーン樹脂で形成されていれば、単一色のバンド２を提供することができる。また、第１樹脂層１０と第２樹脂層１１とが異なる色のシリコーン樹脂で形成されていれば、バンド２のカラー化を図ることができるので、色彩に優れ、デザイン性の高いものを提供することができる。
【００４８】
また、このバンド２では、第１樹脂層１０と第２樹脂層１１との剥離を防ぐ剥離防止部１２を備えていることにより、この剥離防止部１２によって第１樹脂層１０と第２樹脂層１１とが剥離するのを確実に防ぐことができるので、バンド２を腕に装着して良好に使用することができる。
【００４９】
この場合、剥離防止部１２は、第１樹脂層１０の外周に設けられて第２樹脂層１１の外周面を覆う外周壁１２ａを備えていることにより、この外周壁１２ａによって第１樹脂層１０と第２樹脂層１１との外周の剥離を確実に防ぐことができる。すなわち、この外周壁１２ａは、バンド２の全長における全周囲に対応する第１樹脂層１０の外周に設けられていることにより、バンド２の全長に亘る全周囲における第１樹脂層１０と第２樹脂層１１との外周部における剥離を確実に防ぐことができる。
【００５０】
また、剥離防止部１２は、複数のバンド孔６にそれぞれ対応して第１樹脂層１０に設けられて、複数のバンド孔６にそれぞれ対応する第２樹脂層１１の各内周面をそれぞれ覆う複数の円筒壁１２ｂを備えていることにより、これら複数の円筒壁１２ｂによってバンド孔６に対応する第１樹脂層１０と第２樹脂層１１との各内周面における剥離を確実に防ぐことができる。
【００５１】
この場合、複数の円筒壁１２ｂは、複数のバンド孔６がバンド２の長手方向における全長に亘って等間隔で設けられていることにより、これら複数のバンド孔６にそれぞれ対応してバンド２のほぼ全長に亘って等間隔で設けられているので、バンド２のほぼ全長に亘って複数のバンド孔６に対応する第１樹脂層１０と第２樹脂層１１との各内周面における剥離を確実に防ぐことができる。
【００５２】
さらに、このバンド２では、腕時計ケース１の１２時側に取り付けられる他方のバンド２の他端部に一対のバンド２同士を連結するための尾錠７が取り付けられているので、この尾錠７のつく棒７ｂを一方のバンド２のバンド孔６に挿入させることにより、一対のバンド２同士を確実にかつ良好に連結することができる。
【００５３】
この場合、このバンド２では、一対のバンド２同士を尾錠７によって連結する際に、尾錠７のつく棒７ｂを一方のバンド２のバンド孔６である円筒壁１２ｂの内側に挿入させても、これら複数の円筒壁１２ｂによってバンド孔６の摩耗を防ぐことができると共に、バンド孔６に対応する第１樹脂層１０と第２樹脂層１１との各内周面における剥離を確実に防ぐことができる。
【００５４】
なお、上述した実施形態では、剥離防止部１２が、第１樹脂層１０の外周に設けられた外周壁１２ａと、複数のバンド孔６にそれぞれ対応して第１樹脂層１０に設けられた複数の円筒壁１２ｂと、を備えている場合について述べたが、この発明は、これに限らず、例えば剥離防止部１２が、図５（ａ）および図５（ｂ）に示した第１変形例のような抜止め部１５を備えた構造であっても良い。
【００５５】
すなわち、この第１変形例の抜止め部１５は、図５（ａ）および図５（ｂ）に示すように、第１樹脂層１０よりも硬度が低く、引張強度の高いシリコーン樹脂、つまり第１樹脂層１０よりも柔らかい柔軟性を有するシリコーン樹脂で形成された第２樹脂層１１の上面に突出して複数設けられて、第１樹脂層１０に埋め込まれるように構成されている。
【００５６】
この場合、抜止め部１５は、図５（ａ）および図５（ｂ）に示すように、バンド２のバンド孔６を避けた箇所にバンド２の長手方向に沿ってそのほぼ全長に亘って長く形成されている。また、この抜止め部１５は、バンド２の長手方向と直交する幅方向における断面が逆台形状に形成されている。
【００５７】
すなわち、この抜止め部１５は、図５（ａ）および図５（ｂ）に示すように、第２樹脂層１１の上面から突出した上端面におけるバンド２の長手方向と直交する幅方向の長さが、第２樹脂層１１の上面との境界部に位置する箇所の下面の幅方向の長さよりも長く形成されている。
【００５８】
このため、第２樹脂層１１は、第１樹脂層１０よりも硬度が低い柔軟性を有するシリコーン樹脂で形成されているので、第２樹脂層１１を成形用金型（図示せず）で成形して型抜きする際に、抜止め部１５の幅方向における断面が逆台形状に形成されていても、シリコーン樹脂の柔軟性によって抜止め部１５が成形用金型内から容易に抜け出せるように構成されている。
【００５９】
これにより、このバンド２は、図５（ａ）および図５（ｂ）に示すように、予め、抜止め部１５が設けられた第２樹脂層１１を形成し、この第２樹脂層１１を２色成形用金型（図示せず）内にインサートし、この状態で第１樹脂層１０を第２樹脂層１１と一体に形成することにより、抜止め部１５が第１樹脂層１０内に埋め込まれて形成されるように構成されている。
【００６０】
このように、この腕時計のバンド２によれば、第１実施形態と同様の作用効果があるほか、剥離防止部１２が、第２樹脂層１１の上面に突出して設けられて第１樹脂層１０に埋め込まれる抜止め部１５を備えていることにより、第１樹脂層１０に埋め込まれた第２樹脂層１１の抜止め部１５によって、第１樹脂層１０と第２樹脂層１１とを確実にかつ強固に固定することができ、これにより第１樹脂層１０と第２樹脂層１１との剥離を確実に防止することができる。
【００６１】
この場合、抜止め部１５は、バンド２のバンド孔６を避けた箇所にバンド２の長手方向に沿ってそのほぼ全長に亘って長く形成されているので、バンド２のほぼ全長に亘って第１樹脂層１０と第２樹脂層１１とを確実にかつ強固に固定することができる。また、この抜止め部１５は、バンド２の長手方向と直交する幅方向における断面が逆台形状に形成されていることにより、第１樹脂層１０に埋め込まれた抜止め部１５が第１樹脂層１０から抜け出すことがないので、第１樹脂層１０と第２樹脂層１１とを確実にかつ強固に固定することができる。
【００６２】
なお、上述した第１変形例では、抜止め部１５を第２樹脂層１１に設けて第１樹脂層１０に埋め込んだ場合について述べたが、この発明は、これに限らず、例えば抜止め部１５を第１樹脂層１０の下面に突出させて設けて、第２樹脂層１１に埋め込んだ構造であっても良い。この場合には、抜止め部１５を第１樹脂層１０に成形用金型で一体に形成する際に、スライドコアを用いて形成すれば良い。
【００６３】
また、上述した実施形態およびその第１変形例では、第１樹脂層１０の外面と第２樹脂層１１の外面とが外部に露出した構造である場合について述べたが、この発明は、これに限らず、例えば図６（ａ）および図６（ｂ）に示す第２変形例のようにコーティング層１８を設けた構造であっても良い。
【００６４】
すなわち、このコーティング層１８は、図６（ａ）および図６（ｂ）に示すように、透明な保護層であり、第１樹脂層１０の上面および外周面と第２樹脂層１１の下面および外周面とに設けられ、第１樹脂層１０と第２樹脂層１１との外面全体を覆って設けられている。この場合、コーティング層１８は、第１樹脂層１０の上面側の厚みが、第２樹脂層１１の下面側の厚みよりも厚く形成されている。
【００６５】
また、このコーティング層１８は、図６（ｂ）に示すように、複数のバンド孔６に対応して第１樹脂層１０に設けられた円筒壁１２ｂの内周面にも設けられている。これにより、コーティング層１８は、バンド２の第１樹脂層１０の上面と第２樹脂層１１の下面とのほか、第１樹脂層１０の外周壁１２ａの外面および円筒壁１２ｂの内周面を確実に覆って良好に保護することができるので、より一層、バンド２の耐久性を向上させることができる。
【００６６】
なお、上述した第２変形例では、コーティング層１８によって第１樹脂層１０と第２樹脂層１１との外面全体を覆って保護した場合について述べたが、この発明は、これに限らず、例えば、第１樹脂層１０の上面と第２樹脂層１１の下面とにコーティング層１８を構造であっても良い。
【００６７】
また、実施形態およびその各変形例では、第２樹脂層１１は、第１樹脂層１０よりも厚みが厚く形成されている場合について述べたが、これに限らず、第１樹脂層１０と第２樹脂層１１の厚さは、ほぼ同じ厚さであっても良く、第２樹脂層１１は、第１樹脂層１０よりも厚みが薄く形成されていても良い。
【００６８】
また、剥離防止部１２の外周壁１２ａや複数の円筒壁１２ｂは、第１樹脂層１０とほぼ同じ肉厚に限らず、第１樹脂層１０より厚くても薄くても良い。また、剥離防止部１２の外周壁１２ａは、第２樹脂層１１の全周囲における下面に亘って設けられている場合について述べたが、これに限らず、第２樹脂層１１の下面まで至らず途中までであっても良い。つまり、第２樹脂層１１の全周囲における外周面を全て覆わなくても良い。
【００６９】
同様に、複数の円筒壁１２ｂについても第２樹脂層１１の各内周における下面に亘って設けられている場合について述べたが、これに限らず、第２樹脂層１１の下面まで至らず途中までであっても良い。つまり、第２樹脂層１１の各内周面を全て覆わなくても良い。
【００７０】
また、上述した実施形態およびその各変形例では、腕時計のバンド２に適用した場合について述べたが、この発明は、必ずしも腕時計のバンド２である必要はなく、例えば鞄やバッグなどのバンドにも適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、柔軟性を有する合成樹脂で形成された第１樹脂層と、前記第１樹脂層よりも硬度が低く、前記第１樹脂層と同一系統の合成樹脂で、前記第１樹脂層の裏面に一体に形成された第２樹脂層と、を備え、前記第１樹脂層は、前記第２樹脂層よりも耐摩耗性が高いことを特徴とするバンドである。
【００７３】
請求項２に記載の発明は、請求項１に記載のバンドにおいて、前記第１樹脂層と前記第２樹脂層との剥離を防ぐ剥離防止部を備えていることを特徴とするバンドである。
【００７４】
請求項３に記載の発明は、請求項２に記載のバンドにおいて、前記剥離防止部は、前記第１樹脂層の外周に設けられて前記第２樹脂層の外周を覆う外周壁を備えていることを特徴とするバンドである。
【００７５】
請求項４に記載の発明は、請求項２または請求項３に記載のバンドにおいて、前記第１樹脂層と前記第２樹脂層とは、長手方向に沿って設けられた複数のバンド孔を備え、前記剥離防止部は、前記複数のバンド孔にそれぞれ対応して前記第１樹脂層に設けられて、前記複数のバンド孔に対応する前記第２樹脂層の各内周をそれぞれ覆う複数の円筒壁を備えていることを特徴とするバンドである。
【００７６】
請求項５に記載の発明は、請求項２〜請求項４のいずれかに記載のバンドにおいて、前記剥離防止部は、前記第１樹脂層と前記第２樹脂層との一方に設けられて、前記第１樹脂層と前記第２樹脂層との他方に埋め込まれた抜止め部を備えていることを特徴とするバンドである。
【００７７】
請求項６に記載の発明は、請求項１〜請求項５のいずれかに記載のバンドにおいて、前記第１樹脂層の外面と前記第２樹脂層の外面とには、コーティング層が設けられていることを特徴とするバンドである。
【００７８】
請求項７に記載の発明は、請求項１〜請求項６のいずれかに記載されたバンドを備えていることを特徴とする時計である。
【符号の説明】
【００７９】
１  腕時計ケース
２  バンド
３  バンド取付部
５  第１ピン部材
６  バンド孔
７  尾錠
８  第２ピン部材
９  遊環
１０  第１樹脂層
１１  第２樹脂層
１２  剥離防止部
１２ａ  外周壁
１２ｂ  円筒壁
１５  抜止め部
１８  コーティング層
【図１】
2019154901.tif 000003
【図２】
2019154901.tif 000004
【図３】
2019154901.tif 000005
【図４】
2019154901.tif 000006
【図５】
2019154901.tif 000007
【図６】
2019154901.tif 000008